(57)【要約】【課題】外乱光の受光素子への入射を抑制し且つ小型化されたセンサユニットを備えた照明器具を提供する。【解決手段】基板と、基板の上面に実装された受光素子１５１と、遮光性の材料から成り基板の上面側を覆い且つ基板を保持するケース１５４と、を有する明るさセンサユニット１５を備えた照明器具であって、ケース１５４は、基板の上面と対向して配置され且つ受光素子１５１と対向する部分に透光窓１５４ｃが形成された天板１５４ａと、天板１５４ａから基板側に向けて延出され且つ受光素子１５１を囲繞する側壁１５４ｂと、を有し、平面視において、透光窓１５４ｃと接する１本の仮想直線により、ケース１５４を、透光窓１５４ｃを含む領域と、透光窓１５４ｃを含まない領域とに２分割した場合、少なくとも透光窓１５４ｃを含む領域において、側壁１５４ｂの延出端縁は、基板の上面よりも下方に位置する。【選択図】図６
2014026878.tif 000002
【特許請求の範囲】
【請求項１】
基板と、前記基板の上面に実装された受光素子と、遮光性の材料から成り前記基板の上面側を覆い且つ前記基板を保持するケースと、を有する明るさセンサユニットを備えた照明器具であって、
前記ケースは、
前記基板の上面と対向して配置され且つ前記受光素子と対向する部分に透光窓が形成された天板と、当該天板から前記基板側に向けて延出され且つ前記受光素子を囲繞する側壁と、を有し、
平面視において、前記透光窓と接する１本の仮想直線により、前記ケースを、前記透光窓を含む領域と、前記透光窓を含まない領域とに２分割した場合、少なくとも前記透光窓を含む領域において、前記側壁の延出端縁は、前記基板の上面よりも下方に位置する
ことを特徴とする照明器具。
【請求項２】
前記基板の側周縁の少なくとも一部において、前記基板と前記側壁との間に隙間が存在し、
前記透光窓を含む領域において、前記側壁の延出端縁は、側面視において、前記基板の下面と同じ高さであるかまたは前記下面よりも下方に位置しており、平面視において、前記基板と前記側壁との間の隙間の大きさは、前記基板の厚み以下である
ことを特徴とする請求項１に記載の照明器具。
【請求項３】
前記隙間の大きさは、０．４ｍｍ以上、０．８ｍｍ以下である
ことを特徴とする請求項２に記載の照明器具。
【請求項４】
前記ケース内部において前記基板の上面上に前記受光素子を囲繞し、筒軸が前記上面と直交するように配設された筒状部材をさらに備え、
前記筒状部材は、弾性および遮光性を有する材料から成り、前記基板の上面を押圧するように配設されている
ことを特徴とする請求項１に記載の照明器具。
【請求項５】
前記側壁の一部には、前記基板を係合により保持する保持部が形成されている
ことを特徴とする請求項１に記載の照明器具。
【請求項６】
前記保持部は、爪状部材である
ことを特徴とする請求項５に記載の照明器具。
【請求項７】
前記透光窓を含まない領域における前記側壁には、前記基板を前記ケース内に挿入するための挿入開口が設けられており、
前記保持部は、前記側壁の内面上において前記挿入開口から上下方向と略直交する方向に伸びるように形成された長尺なガイド溝であり、
前記基板は、前記基板の側縁の一部が前記ガイド溝内に位置することにより保持されている
ことを特徴とする請求項５に記載の照明器具。
【請求項８】
前記隙間には、充填部材が充填されている
ことを特徴とする請求項２に記載の照明器具。
【請求項９】
前記充填部材は、樹脂である
ことを特徴とする請求項８に記載の照明器具。
【請求項１０】
前記充填部材は、弾性を有する
ことを特徴とする請求項８に記載の照明器具。
【請求項１１】
前記充填部材は、遮光性を有する
ことを特徴とする請求項８に記載の照明器具。
【請求項１２】
前記充填部材は、接着剤である
ことを特徴とする請求項８に記載の照明器具。
【請求項１３】
前記ケースは、前記基板の下面側を覆う底板を有し、前記側壁の延出端縁は、前記底板と連接している
ことを特徴とする請求項１に記載の照明器具。
【発明の詳細な説明】
【技術分野】
【０００１】
本発明は、例えば天井面に取り付けられる照明器具に関し、特に室内の明るさを検知するための明るさセンサとセンサ動作を表示するための動作表示ランプとを装備した照明器具に関する。
【背景技術】
【０００２】
従来の照明器具の一例として、自照明器具が設置されている室内の明るさを検知するための明るさセンサユニットを備え、例えば日中の太陽光などの外光により明るさが十分に得られることを明るさセンサユニットが検知した場合においては、自照明器具の明るさを低下させて、消費電力を抑制するようにした照明器具がある。そして、そのような明るさセンサユニットは、通常、室内の明るさを検知するための受光素子、センサの動作を表示するための動作表示ランプ、受光素子および動作表示ランプが実装される基板、受光素子に外からゴミ等が入らないようにする透光性のカバー、動作表示ランプからの光が受光素子に入射しないようにするための遮光部材等の部品により構成されている。明るさセンサユニットを構成するこれらの各部品は、バラバラにならないように何らかの手段により保持される必要がある。そこで、基板やレンズ等の各部品を保持するためのホルダを備える構成が採用されている。
【０００３】
照明器具には多数の部品が組み合わされて使用されており、配線コードを通すための開口部も含め、様々な個所に大小多数の隙間が存在する。そして、そのような隙間から照明器具内部に入射した光の一部が、内部で反射を繰り返した後、受光素子に入射する場合がある（このような光を以下、「外乱光」という）。外乱光が受光素子に入射すると、本来の室内の明るさを示す光量よりも多くの光が全体として受光素子に入射することとなり、室内の明るさを正確に検知できなくなる。そこで、各部品をホルダとしてのインナーケースにより保持し、それをさらに箱形のアウターケース内部に収容することにより、外乱光の受光素子への入射を抑制する構成が採用されている（例えば、特許文献１参照）。
【先行技術文献】
【特許文献】
【０００４】
【特許文献１】特開２０１０−２０５４２５号公報
【発明の概要】
【発明が解決しようとする課題】
【０００５】
近年、その他の様々な分野の製品と同様に、明るさセンサユニットに対しても小型化の要請がある。明るさセンサユニットを構成する各部品をそれぞれそのまま小型化するのには限界がある。そこで、部品の全部または一部を省略することが考えられるが、その場合においても、外乱光の受光素子への入射を抑制する必要がある。
本発明は、上記課題に鑑みてなされたものであり、小型化を図りつつ、受光素子への外乱光への入射を抑制可能な構成を備えた明るさセンサユニットを提供することを目的とする。
【課題を解決するための手段】
【０００６】
上記目的を達成するため、本発明に係る照明器具は、基板と、前記基板の上面に実装された受光素子と、遮光性の材料から成り前記基板の上面側を覆い且つ前記基板を保持するケースと、を有する明るさセンサユニットを備えた照明器具であって、前記ケースは、前記基板の上面と対向して配置され且つ前記受光素子と対向する部分に透光窓が形成された天板と、当該天板から前記基板側に向けて延出され且つ前記受光素子を囲繞する側壁と、を有し、平面視において、前記透光窓と接する１本の仮想直線により、前記ケースを、前記透光窓を含む領域と、前記透光窓を含まない領域とに２分割した場合、少なくとも前記透光窓を含む領域において、前記側壁の延出端縁は、前記基板の上面よりも下方に位置することを特徴とする。
【発明の効果】
【０００７】
本発明に係る照明器具の構成によれば、次のような効果が期待できる。センサユニットの透光窓を含む領域において、ケースの側壁の延出端縁が基板の上面よりも下方に位置している。そのため、受光素子の周囲３６０°の範囲の少なくとも半分よりも大きな範囲において、側方からの外乱光のケース内への入射を抑制することができ、それにより、受光素子への外乱光の入射を抑制することができる。加えて、ケースが基板を保持するため、ホルダを別に備える必要が無く、ホルダを省略することができるので、センサユニットを小型化することができる。
【０００８】
以上説明したように、本発明によれば、外乱光の受光素子への入射を抑制することができ、且つ、小型化された明るさセンサユニットを備えた照明器具を提供することができる。
【図面の簡単な説明】
【０００９】
【図１】実施形態に係る照明器具の概略構成を示す斜視図であって、（ａ）は、照明器具の外観斜視図であり、（ｂ）は、グローブを外した状態の照明器具内部を示す斜視図である。
【図２】実施形態に係るセンサユニットの外観斜視図である。
【図３】実施形態に係るセンサユニットの分解斜視図である。
【図４】実施形態に係るセンサユニットの概略構成を示す断面図であって、図２に示すＡ−Ａ’線に沿った矢視断面図である。
【図５】センサ枠へのセンサユニットの取着方法を示す一部拡大斜視図であって、（ａ）は、センサユニットを載置する前の状態を示す斜視図であり、（ｂ）は、センサユニットが載置された状態を示す斜視図であり、（ｃ）は、センサユニットカバーの取着方法を示す斜視図である。
【図６】実施形態に係るセンサユニットの平面図である。
【図７】図４の円Ｆで囲まれた部分における下方からの外乱光の様子を模式的に示す一部拡大断面図であって、（ａ）は、ｄ１＝ｄ２の場合の断面図であり、（ｂ）は、ｄ１＜ｄ２の場合の断面図であり、（ｃ）は、ｄ１＞ｄ２の場合の断面図である。
【図８】（ａ）は、変形例１に係るセンサユニットの概略構成を示す平面図であり、（ｂ）は、変形例２に係るセンサユニットの概略構成を示す平面図である。
【図９】変形例３に係るセンサユニットの概略構成を示す断面図であって、（ａ）は、図２のＡ−Ａ’線に相当する直線に沿った矢視断面図であり、（ｂ）は、（ａ）の円Ｇで囲まれた部分における下方からの外乱光の様子を模式的に示す一部拡大断面図である。
【図１０】変形例４に係るセンサユニットの概略構成を示す断面図であり、図２のＡ−Ａ’線に相当する直線に沿った矢視断面図である。
【図１１】変形例５に係るセンサユニットの概略構成を示す斜視図であって、（ａ）は、外観斜視図であり、（ｂ）は、（ａ）のＢ−Ｂ’線に沿った矢視断面斜視図である。
【図１２】変形例５に係るセンサユニットのケースの概略構成を示す斜視図であって、（ａ）は、外観斜視図であり、（ｂ）は、（ａ）のＣ−Ｃ’線に沿った矢視断面斜視図である。
【図１３】変形例５に係るセンサユニットの組み付け方法を示す斜視図であって、（ａ）は、ケースに基板を挿入する様子を示す斜視図であり、（ｂ）は、ケース内部に基板を挿入後、筒状部材、筒体、第１および第２光学部材を取着する様子を示す斜視図である。
【図１４】変形例６に係るセンサユニットの概略構成を示す斜視図であって、（ａ）は、外観斜視図であり、（ｂ）は、（ａ）のＤ−Ｄ’線に沿った矢視断面斜視図である。
【図１５】変形例７に係るセンサユニットの概略構成を示す図であって、（ａ）は、外観斜視図であり、（ｂ）は、（ａ）のＥ−Ｅ’線に沿った矢視断面図であり、（ｃ）は、底面図である。
【発明を実施するための形態】
【００１０】
＜発明に至った経緯＞
明るさセンサユニットの小型化に際して、アウターケースを省略することが最も容易であり、最も効果的である。しかし、アウターケースを省略してしまうと外乱光が受光素子に入射する問題が発生する。例えば、特許文献１の場合、共通回路基板（２４）とインナーケース（２７）との間の隙間から外乱光が浸入しやすい。
【００１１】
そこで、本願発明者らは、外乱光の侵入を抑制する機能を備えたインナーケース（ホルダー）の構成に想到した。
以下、本発明を実施するための形態を、図面を参照して詳細に説明する。なお、各図は、模式図であり、図面に示された部品等の核構成要素の形状や寸法および比等については、必ずしも厳密に図示したものではない。
【００１２】
＜実施形態＞
まず、本発明の実施形態に係る照明器具の全体構成について、図１を参照しながら説明する。
［全体構成］
図１は、実施形態に係る照明器具１０の概略構成を示す斜視図である。図１（ａ）は、照明器具１０の外観斜視図であり、図１（ｂ）は、内部の様子が見えるようにグローブ１３を取り外した状態の照明器具１０を示す斜視図である。
【００１３】
照明器具１０は、主な構成要素として、器具本体１１、器具本体１１の外周に組み付けられた円環状のセンサ枠１２、および器具本体１１の下側（照射方向側。照明器具１０が天井に設置される場合は、床側。）を覆ってセンサ枠１２の環の内側において器具本体１１に嵌合されるグローブ１３から成る。器具本体１１は、リモコンからの操作信号を受信するための受信ユニット１６や照明器具１０の設定変更等を行うための設定ユニット１７、外部から電力を受電するためのコネクタ１８等を備える。センサ枠１２には、照明器具１０が設置されている環境（室内等）の明るさを検知するためのセンサユニット１５が取着されている。グローブ１３は、ガラスや樹脂等の透光性の材料から成り、内面に光源としての発光部１４から発せられた光を拡散させる拡散処理、例えば、シリカや白色顔料等による拡散処理が施されている。グローブ１３の内面に入射した光はグローブ１３を透過しグローブ１３の外部へと取り出される。
【００１４】
器具本体１１には、発光部１４が着脱可能に取り付けられる。発光部１４は、本実施形態においては、具体的には、複数のＬＥＤ素子が環状に配置されて成る。器具本体１１は、さらに、外部から受電した電力を、ＬＥＤを点灯させるための電力に変換し、受信ユニット１６が受信した操作信号に基づいて、発光部１４の調光率や発光色を変化させる不図示の制御部等を備える。
【００１５】
なお、発光部１４は、照明器具１０使用時には必須ではあるが、商品としての流通・販売時には、必ずしも必須ではない。発光部１４を備えない状態で照明器具１０が流通・販売され、ユーザが好みの発光部を購入し、取り付けて使用してもよい。
図１（ｂ）に示すように、器具本体１１の中央部には、取付用貫通孔１１１が形成されており、照明器具１０を天井等に設置された配線器具に取り付けるためのアダプタ（不図示）が取付用貫通孔１１１に嵌合され、当該アダプタを介して照明器具１０が天井等に固定される。
【００１６】
［センサユニットの構成］
図２は、センサユニット１５の概略構成を示す外観斜視図である。図３は、センサユニットの分解斜視図である。図４は、センサユニット１５の概略構成を示す断面図であり、図２のＡ−Ａ’線に沿った矢視断面図である。
図２〜４に示すように、センサユニット１５は、受光素子１５１および発光素子１５２が基板１５３の上面１５３ａに実装され、電源モジュール１５８が基板１５３の下面１５３ｂに実装されて成る基板ユニット１５０、基板１５３の上面１５３ａ側を覆うように基板を保持するケース１５４、筒状部材１５５、第１光学部材１５６、および第２光学部材１５７を備える。
【００１７】
なお、詳しくは後述するが、センサユニット１５は、ケース１５４の天板１５４ａを下（床側）にしてセンサ枠１２に取り付けられるが（図５参照）、以下においては、天板１５４ａ側を上、基板１５３側を下として説明する。
＜受光素子＞
受光素子１５１は、受光した光を電気に変換する光電変換素子であり、本実施形態においては、ＳＭＤタイプのフォトダイオードが用いられている。
【００１８】
＜発光素子＞
発光素子１５２は、明るさセンサの動作モード等をユーザに表示するためのものであり、本実施形態においては、ＳＭＤタイプのＬＥＤが用いられている。
＜基板＞
基板１５３は、ポリイミドやガラスエポキシ樹脂等の樹脂から成る板状の部材である。基板１５３の上面１５３ａおよび下面１５３ｂには、銅（Ｃｕ）等の金属により、複数の接続電極が形成されている。上面１５３ａには、金属薄膜等により不図示の配線パターンが形成されている。配線パターンの一部はさらに、基板１５３の内部を貫通するように形成されており、上面１５３ａの接続電極と下面１５３ｂの接続電極とを電気的に接続している。
【００１９】
受光素子１５１および発光素子１５２は、上面１５３ａの接続電極に接続されて実装され、電源モジュール１５８は、下面１５３ｂの接続電極に接続されて実装されている。電源モジュール１５８には、コネクタ１５９ｂが接続される。
＜ケース＞
ケース１５４は、ポリプロピレンやＡＢＳ（アクリロニトリル（Ａｃｒｙｌｏｎｉｔｒｉｌｅ）、ブタジエン（Ｂｕｔａｄｉｅｎｅ）、スチレン（Ｓｔｙｒｅｎｅ）共重合合成樹脂）等の樹脂材料から成り、基板ユニット１５０、筒状部材１５５、第１光学部材１５６、第２光学部材１５７を一体的に保持している。ケース１５４は、基板１５３の上面１５３ａと対向する部分である天板１５４ａと、天板１５４ａの外周縁から基板１５３側（下方）に向けて延出した側壁１５４ｂとから構成されている。
【００２０】
側壁１５４ｂの一部には、基板１５３を保持するための保持部１５４ｂ１が形成されている。本実施形態においては、保持部１５４ｂ１は、爪状部材であり、基板１５３を両側から挟むように、一対形成されている。また、各保持部１５４ｂ１の両脇には、保持部１５４ｂ１の弾性を確保するための隙間であるスリット１５４ｂ２が形成されている。
天板１５４ａには、受光素子１５１に対向する部分に貫通孔である透光窓１５４ｃと、発光素子１５２と対向する部分に貫通孔である出射口１５４ｄが形成されている。照明器具１０が設置されている室内の光は、透光窓１５４ｃを介して受光素子１５１へと入射する。天板１５４ａの出射口１５４ｄの外周縁を形成する部分から基板１５３側に向かって筒体１５４ｅが連設されている。発光素子１５２から発せられた光は、筒体１５４ｅの内部および出射口１５４ｄを介して外部へと出射する。また、天板１５４ａにおいて保持部１５４ｂ１の内側にそれぞれ貫通孔１５４ｂ３が形成されている。貫通孔１５４ｂ３は、ケース１５４を射出成型により製造する際に、爪状部材である保持部１５４ｂ１をモールドから取り出しやすくするためのものである。従って、爪状部材として保持部１５４ｂ１が形成されない場合には、貫通孔１５４ｂ３が形成されなくてもよい。
【００２１】
なお、ケース１５４は、黒やチャコールグレー等の濃色の材料により形成されてもよいし、または、ケース１５４の内面がそのような濃色に着色されていてもよい。これにより、万が一、筒状部材１５５内部に外乱光が入射した場合でも、入射した外乱光の筒状部材１５５内周面での反射が抑制され、受光素子への外乱光の入射を抑制することができる。
＜筒状部材＞
筒状部材１５５は、ゴム等の弾性を有する遮光性の材料から成り、受光素子１５１を囲繞するようにケース１５４内部において基板１５３の上面１５３ａ上に配設される。筒状部材１５５は、筒状部材固定壁１５４ｆの内周面に接するように配設されており、これにより、位置決めされ固定されている。筒状部材１５５は、発光素子１５２から発せられた光が受光素子１５１へと入射するのを防止するためのものであり、透光窓１５４ｃを介して入射する光以外の外乱光が受光素子１５１へ入射するのを防止する働きも有する。また、筒状部材１５５の筒軸方向の長さは、基板１５３の上面１５３ａと第１光学部材１５６の下面との間の距離よりも若干大きく設定されている。従って、筒状部材１５５は、基板１５３と第１光学部材１５６との間で若干圧縮された状態となっている。センサユニットを構成する各部品は、組み付けられた際にそれぞれがぴったりと隙間なく組み付けられているのが理想的ではあるが、実際は、製造誤差等を吸収するために、各部品の寸法に予め若干の余裕を持たせて設計されている。これにより、爪状部材である保持部１５４ｂ１で保持されている部分を中心として、基板１５３がシーソーのようにガタつく場合がある。そのような場合においても、筒状部材１５５が若干圧縮された状態となっているため、上記ガタつきを吸収して筒状部材１５５と上面１５３ａとの間に隙間が生じるのを抑制することができ、これにより、外乱光の受光素子への入射を抑制することができる。
【００２２】
また、ケース１５４は、黒やチャコールグレー等の濃色の材料により形成されてもよいし、または、その内面がそのような濃色に着色されていてもよい。これにより、ケース１５４内に入射した外乱光がケース１５４の内面に到達した際に反射が抑制され、受光素子への外乱光の入射を抑制することができる。
＜第１光学部材＞
第１光学部材１５６は、透明や半透明のレンズ状のカバーであって、筒状部材１５５の基板１５３に接している方とは反対側の開口を塞ぐように配置されている。第１光学部材１５６は、外部からゴミ等が入るのを防ぐカバーの役割をしている。第１光学部材１５６は、筒状部材１５５とケース１５４の天板１５４ａとによって挟まれる態様でケース１５４内部に保持されている。
【００２３】
＜第２光学部材＞
第２光学部材１５７は、透光性の樹脂等の材料から成り、第２光学部材本体部１５７ａと、リブ１５７ｂと、突起１５７ｃと、から構成されている。第２光学部材本体部１５７ａは、径の大きさの異なる２種類の円柱が軸方向に連設され、径の大きな方の円柱が上側に、形の小さな方の円柱が下側に配置された形状を有する。その円柱の軸方向における中央部の外周面上に、円柱軸から遠ざかる方向に延出された円環状のリブ１５７ｂが形成されている。そして、リブ１５７ｂの一部が円柱軸から遠ざかる方向にさらに延出され、突起１５７ｃが形成されている。第２光学部材１５７は、筒体１５４ｅの基板１５３とは反対側の開口を閉塞するように筒体１５４ｅ内に一部挿入された状態で筒体１５４ｅに嵌挿されている。このとき、筒体１５４ｅの第２光学部材固定用段部１５４ｅ２上にリブ１５７ｂが載置され、突起固定用段部１５４ｅ３に突起１５７ｃが載置される。第２光学部材１５７は、発光素子１５２から発せられた光を外部へと出射させるレンズの役割をするとともに、外部からゴミ等が入るのを防ぐカバーの役割もしている。
【００２４】
なお、第２光学部材１５７は、必要に応じて緑やオレンジ色等に着色されていてもよい。
＜ハーネス＞
ハーネス１５９は、外部から受電した電力の一部を供給して受光素子１５１および発光素子１５２を駆動させるためのものであり、且つ、受光素子１５１からのアウトプット信号を制御部へと送信するためのものである。ハーネス１５９は、電源線および信号線であるケーブル１５９ａの両端にコネクタ１５９ｂおよび１５９ｃがそれぞれ取着されて構成されている。
【００２５】
なお、ここでは、センサユニット１５を構成する各部品の説明に合わせてハーネス１５９についても説明したが、本実施形態および各変形例においては、ハーネス１５９は、センサユニット１５を構成する部品の一部としては、扱っていない。ただし、ハーネス１５９を含めてセンサユニットとしてもよいし、そのような形態で商業的に取引される場合も考えられるであろう。
【００２６】
［センサユニットの取付方法］
図５は、センサユニット１５のセンサ枠１２への取付方法を示す一部拡大斜視図である。図５（ａ）に示すように、センサ枠１２の天井に取り付けられる側である背面側には、センサユニット１５を配置するためのセンサユニット取付部１２ａが形成されている。センサユニット取付部１２ａには、貫通孔１２ａ１および貫通孔１２ａ２が形成されている。器具本体１１の背面側の導出開口（不図示）からハーネス１５９の一端側が導出されている。導出開口およびハーネス１５９の残りの部分は、ハーネスカバー１９ａにより覆われている。
【００２７】
次に、図５（ｂ）に示すように、センサユニット１５をセンサユニット取付部１２ａに載置し、コネクタ１５９ｂを電源モジュール１５８に接続する。
なお、貫通孔１２ａ１および貫通孔１２ａ２は、センサユニット１５を載置した際に、それぞれ第２光学部材１５７および透光窓１５４ｃに対応する位置に形成されている。
そして、図５（ｃ）に示すように、センサユニットカバー１９ｂを取着して、電源モジュール１５８に接続されたハーネス１５９およびセンサユニット１５を覆う。
【００２８】
［外乱光の受光素子への入射抑制］
（１）側方からの外乱光の入射抑制
図４に示すように、本実施形態に係るセンサユニット１５においては、側壁１５４ｂの下端部である延出端縁１５４ｂ４が基板１５３の上面１５３ａよりも下方に位置しており、下面１５３ｂと略同じ高さに位置している。特許文献１に記載の従来のセンサユニット（１６）では、インナーケース（２７）の下端部は、共通回路基板（２４）の上面よりも上に位置している（特許文献１の図６参照）。そのため、第１アウターケース（２２）および第２アウターケース（２３）を備えなければ、共通回路基板（２４）とインナーケース（２７）の下端部との間の隙間から外乱光が容易に入射してしまう。特に、特許文献１に記載のセンサユニット（１６）のように、共通基板（２４）がその長手方向中央部にて可撓係止片（爪状部材）（４０）により保持される構成の場合、可撓係止片（４０）により保持されている部分を中心にして共通基板（２４）がシーソーのようにガタつく場合がある。そのような場合、共通基板（２４）と第１筒体（２８）との間に隙間ができ、外乱光の入射を防止することができない。
【００２９】
本実施の形態に係るセンサユニット１５の構成によると、側壁１５４ｂの下端部ｂ４が基板１５３の上面１５３ａよりも下方に位置しているため、アウターケースを備えなくても上記のような外乱光の入射を抑制することができる。センサユニット１５の構成によると、特に側方からの外乱光（以下、「側方外乱光」という。）の入射抑制に効果を発揮する。
【００３０】
ここで、センサユニット１５は、側壁１５４ｂの一部にスリット１５４ｂ２が形成されており、当該スリット１５４ｂ２を介して特に側方外乱光が入射する虞がある。スリット１５４ｂ２は、基板１５３を保持するための爪状部材である保持部１５４ｂ１の弾性を確保するために必要なものである。側壁１５４ｂがスリット１５４ｂ２を有しないような構成とするためには、基板１５３のケース１５４への保持固定を、爪状部材を用いた係合構造ではなく、例えば、接着剤を用いて行うような構成が考えられる。しかし、接着剤を用いる場合、接着剤の塗布量が多すぎると接着剤がはみ出して、周囲に存在する別の部材に付着したり、作業スペースを汚したりする場合がある。また、接着剤の塗布量が少なすぎると接着不良を起こして、使用中に剥離分解が発生する虞がある。従って、接着剤の塗布量を適量に制御する必要があるが、接着剤の塗布量の制御は、使用する接着剤の種類や粘性、温度等によっても異なってくるため容易ではない。また、ネジ等による固定では、ネジという別部材が必要となるため、コストの面からあまり好ましくない。よって、製造現場においては、接着剤を使用する代わりに、爪状部材等を利用した保持固定方法が、組み付けも容易であるため広く用いられている。
【００３１】
しかし、上述のように、基板１５３の保持に爪状部材を用いる場合、爪状部材の弾性を確保するために側壁にスリットを形成する必要がある。そこで、側壁にスリットを設けることを前提とした場合であっても、側方外乱光の受光素子への入射抑制効果をできるだけ損なわない位置にスリットを形成することが求められる。
図６は、センサユニット１５を上方から見た平面図である。図６に示すように、センサユニット１５を平面視した場合、受光素子１５１は、透光窓１５４ｃの領域内に配設されている。室内の明るさをより正確に検知するためには、受光素子１５１は、透光窓１５４ｃの領域の中心部に配設されていることが望ましいのであるが、製造誤差等により、必ずしも中心に配設されるとは限らない。しかしながら、受光素子が上記目的を達成するためには、少なくとも透光窓１５４ｃの領域内に配置されている必要がある。即ち、透光窓１５４ｃの領域は、受光素子１５１の配設可能領域である。
【００３２】
従って、外乱光の受光素子への入射抑制効果をできるだけ損なわないようなスリット形成位置について、次のように考えることができる。
受光素子１５１の周囲３６０°の範囲を考えたとき、側壁１５４ｂの延出端縁１５４ｂ４が基板１５３の上面１５３ａよりも下側に位置している（以下、これを「側壁でカバーされている」と表現する。）角度範囲の方が、延出端縁１５４ｂ４が上面１５３ａと同じかそれよりも上に位置している（以下、これを「側壁でカバーされていない」と表現する。）角度範囲よりも大きければ、受光素子１５１の周囲３６０°の範囲の少なくとも半分よりも大きな範囲は側壁でカバーされていることになり、外乱光の受光素子への入射抑制効果が大きく損なわれてはいないと考えられる。
【００３３】
また、受光素子１５１の配設可能領域である透光窓１５４ｃの領域の一部でも側壁でカバーされていない範囲内に含まれていると、当該部分に受光素子１５１が配設されている場合、受光素子１５１の周囲３６０°の範囲の半分以上がカバーされていない範囲となってしまう。
そこで、透光窓１５４ｃの領域のどこに受光素子１５１が配設されていても、受光素子１５１の周囲３６０°の範囲の少なくとも半分よりも大きな範囲がカバーされるような条件として、次のような条件が考えられる。
【００３４】
即ち、図６に示すように、センサユニット１５を平面視して、透光窓１５４ｃに接する１本の仮想直線Ｌ１によりセンサユニット１５を２つの領域に２分割した場合、少なくとも透光窓１５４ｃを含む方の領域が側壁でカバーされていれば、受光素子１５１の周囲３６０°の範囲の少なくとも半分よりも大きな範囲がカバーされていることになる。
従って、センサユニットを設計する際には、透光窓１５４ｃを含まない方の領域にスリット１５４ｂ２を形成すればよい。
【００３５】
なお、貫通孔１５４ｂ３は、爪状部材である保持部１５４ｂ１をモールドから取り出しやすくするためのものであるため、保持部１５４ｂ１の近傍に形成されるが、貫通孔１５４ｂ３を形成する場合においても、透光窓１５４ｃを含まない領域に形成するとよい。
（２）下方からの外乱光の入射抑制
次に、下方からの外乱光（以下、「下方外乱光」という。）の入射抑制について考察する。下方外乱光がケース１５４内部に入射するのは、主に基板１５３の側面と側壁１５４ｂの内面との間の隙間（以下、単に「基板と側壁との間の隙間」という。）からである。図７は、図４の一点鎖線で示す円で囲まれた部分を拡大して模式的に示す一部拡大断面図である。図７（ａ）は、基板１５３と側壁１５４ｂとの間の隙間の大きさｄ１が、基板１５３の厚みｄ２と等しい場合を示す。図７（ｂ）は、基板１５３と側壁１５４ｂとの間の隙間の大きさｄ１が、基板１５３の厚みｄ２よりも小さい場合を示す。図７（ｃ）は、基板１５３と側壁１５４ｂとの間の隙間の大きさｄ１が、基板１５３の厚みｄ２よりも大きい場合を示す。ここで、基板１５３と側壁１５４ｂとの間の隙間の大きさとは、基板１５３の主面と平行な方向、即ち図７においては、紙面左右方向（水平方向）における基板１５３の側面と側壁１５４ｂの内面との間の距離を意味する。基板１５３の側面と側壁１５４ｂの内面とが平行でない場合には、基板１５３の主面と平行な方向双方間の距離のうち最短の距離を意味する。
【００３６】
図７（ａ）に示すように、下方外乱光のうち、基板１５３の内側から来る下方外乱光ＡＬ４は、基板１５３と側壁１５４ｂとの間の隙間を通過しても側壁１５４ｂ内面に当たる。そして側壁１５４ｂの内面で反射する際に弱められる。このとき、側壁１５４ｂの内面が黒やチャコールグレー等の濃色に形成されている場合には、反射がさらに弱められ、より好適である。従って、基板１５３の内側から来る下方外乱光については、ケース１５４内部に入射してもそれほど影響は大きくないと考えられる。以下では、基板１５３の外側からの下方外乱光について主に考察を行う。
【００３７】
図７（ａ），（ｂ），（ｃ）には、基板１５３の外側から来る下方外乱光ＡＬ１，ＡＬ２，ＡＬ３を示している。外乱光ＡＬ１，ＡＬ２，ＡＬ３は、側壁１５４ｂの延出端縁１５４ｂ４と成す角度（以下、「入射角」という。）θが、それぞれθ１，θ２，θ３（θ１＞θ２＞θ３）である。図７（ａ）に示すように、ｄ１＝ｄ２の場合、外乱光ＡＬ１は、ケース１５４内部に入射するが、外乱光ＡＬ２，ＡＬ３は、基板１５３の側面により遮光される。外乱光ＡＬ２，ＡＬ３の一部は、基板１５３の側面で反射し、側壁１５４ｂ内面で再び反射してケース１５４内方に向かうが、反射により光が弱められているため、受光素子への入射の影響は大きくないと考えられる。ここで、ｄ１＝ｄ２の場合、下方外乱光が基板１５３の上側端縁に当たるのは、入射角θがθ＝４５°の場合（図７（ａ）においては、外乱光ＡＬ２）である。入射角θが４５°よりも大きいと、基板１５３と側壁１５４ｂとの間の隙間からケース１５４内部に入射する。このようにケース内部に入射する外乱光と入射しない外乱光の境界の角度を、以下、「入射境界角θｂ」という。図７（ａ）の場合は、入射境界角θｂ＝θ２＝４５°である。
【００３８】
さらにここで、入射角θが９０°以上である場合、外乱光はケース１５４内部に入射しても、天板１５４ａの内面または側壁１５４ｂの内面に当たるため、受光素子への入射の影響は大きくないと考えられる。従って、受光素子への入射の影響がある程度大きいと考えられるのは、下方外乱光の入射角θが、０°＜θ＜９０°の場合である。ｄ１＝ｄ２の場合、入射角θ≦４５°の下方外乱光については、基板１５３の側面により遮光される。これは即ち、ｄ１＝ｄ２の場合は、受光素子への入射の影響がある程度大きいと考えられる外乱光の入射角度範囲０°＜θ＜９０°のうち、半分以上の入射角度範囲において外乱光を遮光することができることを示している。
【００３９】
また、図７（ｂ）に示すように、ｄ１＜ｄ２の場合は、外乱光Ｌ１，Ｌ２，Ｌ３のいずれも基板１５３の側面により遮光される。ｄ１＜ｄ２の場合には、入射境界角θｂ＞４５°であり、外乱光を遮光する入射角度範囲がｄ１＝ｄ２の場合よりもさらに広くなる。なお、図７（ｂ）の場合は、θｂ＝θ１である。
一方、図７（ｃ）に示すように、ｄ１＞ｄ２の場合は、外乱光ＡＬ３は遮光されるが、外乱光ＡＬ１，ＡＬ２はケース１５４内に入射する。ｄ１＞ｄ２の場合には、入射境界角θｂ＜４５°であり、外乱光を遮光する入射角度範囲はｄ１＝ｄ２の場合よりもさらに狭くなる。即ち、ｄ１＝ｄ２の場合と比べてより広い範囲からの外乱光が入射してしまう。なお、図７（ｃ）の場合は、θｂ＝θ３である。
【００４０】
以上説明したように、ｄ１≦ｄ２であれば、受光素子への入射の影響がある程度大きいと考えられる外乱光の入射角度範囲のうち、半分以上の入射角度範囲において外乱光を遮光することができると考えられ、有意な外乱光遮光効果が期待できると考えられる。
なお、一般的によく用いられる厚みｄ２＝１．６〔ｍｍ〕の基板の場合、上記隙間の大きさｄ１が、好ましくは、０．４〜０．８〔ｍｍ〕であれば、下方からの外乱光をより効果的に抑制することができる。それは、次のような理由からである。ｄ１＝０が理想だが、実際はケース１５４、基板１５３の寸法公差（±０．１〜０．２ｍｍ程度）やケース１５４の反りを踏まえた組立ての容易さを考慮する必要がある。このため、ケース１５４と基板１５３との間には、適度に隙間があったほうがよい。そこで、ケース１５４、基板１５３それぞれの公差を考慮に加えると、隙間ｄ１は、０．４ｍｍ以上であって、大きくても基板の厚みｄ２の１／２以下であることが望ましい。
【００４１】
なお、図４に示す本実施形態に係るセンサユニット１５においては、基板１５３と側壁１５４ｂとの間の隙間の大きさｄ１は、基板の厚みｄ２よりも小さい。図７各図では、説明のために、ｄ１とｄ２を様々に異ならせた構成を示しており、図７各図は、図４に示すセンサユニット１５の構成を正確に表した図ではない。
［まとめ］
以上説明したように、本実施形態に係るセンサユニット１５の構成によると、アウターケースを備えないため、センサユニットの小型化を図ることができる。且つ、受光素子１５１の周囲３６０°の範囲の少なくとも半分よりも大きな範囲が、側壁によりカバーされているため、側方からの外乱光の受光素子への入射を抑制することができる。
【００４２】
また、基板と側壁との間の隙間の大きさが、基板の厚みよりも小さいため、下方からの外乱光の受光素子への入射を効果的に抑制することができる。
＜変形例＞
以上、本発明の構成を実施形態に基づいて説明したが、本発明は上記実施形態に限られず、以下のような変形例を実施することができる。なお、説明の重複を避けるため、上記実施形態と同じ構成要素については、同符号を付して、その説明を省略する。
【００４３】
（変形例１）
実施形態に係るセンサユニット１５においては、保持部（爪状部材）１５４ｂ１は、平面視において、ケース１５４の長手方向における同じ位置に一対形成されていたが、これに限られない。図８（ａ）に示すセンサユニット２１５のように、一対の保持部１５４ｂ１が、ケース１５４の長手方向において互いにずれた位置に形成されてもよい。この場合においても、センサユニット２１５を平面視して、透光窓１５４ｃに接する仮想直線Ｌ２により透光窓１５４ｃを含む領域と含まない領域とに２分割した場合、透光窓１５４ｃを含まない領域にスリット１５４ｂ２が形成されるとよい。
【００４４】
（変形例２）
また、図８（ｂ）に示すセンサユニット３１５のように、一対の保持部１５４ｂ１が、ケース１５４の長手方向における一方の端部により近接した位置に形成されてもよい。この場合においても、センサユニット３１５を平面視して、透光窓１５４ｃに接する仮想直線Ｌ３により透光窓１５４ｃを含む領域と含まない領域とに２分割した場合、透光窓１５４ｃを含まない領域にスリット１５４ｂ２が形成されるとよい。
【００４５】
（変形例３）
実施形態に係るセンサユニット１５では、側面視において、側壁１５４ｂの延出端縁１５４ｂ４が基板１５３の下面１５３ｂと略同じ位置であったが、これに限られない。例えば、図９（ａ）に示すセンサユニット４１５のように、側面視において、側壁４１５４ｂの延出端縁４１５４ｂ４が基板１５３の下面１５３ｂよりも上方であって上面１５３ａよりも下方であってもよい。この場合においても、延出端縁４１５４ｂ４が上面１５３ａよりも下方に位置しているため、側面視において延出端縁４１５４ｂ４と上面１５３ａとの間に隙間がなく、側方からの外乱光の入射を抑制することができる。
【００４６】
ここで、本変形例における下方外乱光の入射抑制効果について、図９（ｂ）を参照して以下に説明する。なお、図９（ｂ）は、図９（ａ）の一点鎖線で示す円Ｇで囲まれた部分の拡大断面図である。図９（ｂ）に示すように、本変形例においては、上面１５３ａと延出端縁４１５４ｂ４を水平方向に延長してできる平行線間の距離ｄ２ａが、図７に示す実施形態に係るセンサユニット１５における基板１５３の厚みｄ２に相当する。このため、隙間ｄ１をｄ２ａより小さくすることで下方外乱光の入射を抑制することができる。
【００４７】
（変形例４）
また、図１０に示すセンサユニット５１５のように、側面視において、側壁５１５４ｂの延出端縁５１５４ｂ４が基板１５３の下面１５３ｂよりも下方であってもよい。このような構成にすることにより、側方からの外乱光の入射をより効果的に抑制することができる。
【００４８】
（変形例５）
上記実施形態および変形例１〜４においては、基板を保持する保持部が爪状部材である場合を例に説明した。しかし、保持部材の形態は、これに限られない。例えば、基板の端縁部を溝に係合させて保持する構成とすることもできる。図１１（ａ）は、変形例５に係るセンサユニットの外観斜視図である。図１１（ｂ）は、図１１（ａ）のＢ−Ｂ’線に沿った矢視断面図である。図１２（ａ）は、変形例５に係るケースの外観斜視図であり、図１２（ｂ）は、図１２（ａ）のＣ−Ｃ’線に沿った矢視断面図である。
【００４９】
図１２（ｂ）に示すように、変形例５に係るセンサユニット６１５のケース６１５４の側壁６１５４ｂの内面には、溝状の保持部６１５４ｂ１が形成されている。そして、図１１（ａ），（ｂ）に示すように、センサユニット６１５においては、基板１５３は溝状の保持部６１５４ｂ１に保持されている。天板６１５４ａには、透光窓６１５４ｃおよび筒体固定孔６１５４ｇが形成されている。開口である透光窓６１５４ｃを規定する天板６１５４ａの周縁部から下方に筒状部材固定壁６１５４ｆが形成されている。筒状部材固定壁６１５４ｆの内周面に接するように筒状部材６１５５が配設され、その上端面上に載置されるように第１光学部材６１５６が透光窓６１５４ｃに嵌挿されている。筒体固定孔６１５４ｇには筒体６１５４ｅが嵌挿され、筒体６１５４ｅには第２光学部材１５７が嵌挿されている。
【００５０】
図１３は、センサユニット６１５の組み付け手順を模式的に示す図である。図１３（ａ）は、ケース６１５４に基板ユニット１５０を挿入する様子を示す斜視図であり、図１３（ｂ）は、基板ユニット１５０が内部に挿入されたケース６１５４に第１光学部材６１５６，第２光学部材１５７等を取着する様子を示す斜視図である。ケース６１５４は、筒体固定孔６１５４ｇが形成されている側の側壁６１５４ｂの一部が短くなっており、基板挿入口６１５４ｉを形成している。保持部６１５４ｂ１の端部が、基板挿入口６１５４ｉにおいて露出している。
【００５１】
先ず、図１３（ａ）に示すように、基板ユニット１５０を基板挿入口６１５４ｉから保持部６１５４ｂ１に近づけて基板１５３の端縁部を保持部６１５４ｂ１の溝に嵌合させ、基板１５３の端縁部を溝に沿ってスライドさせて基板ユニット１５０をケース６１５４内に挿入する。ここで、保持部６１５４ｂ１の基板挿入口６１５４ｉ近傍の部分には、凸部６１５４ｂ１ａが両側にそれぞれ形成されており（図１２（ｂ）参照）、基板６１５３の挿入方向後方側の両側面には凹部６１５３ｃがそれぞれ形成されている。そして、基板ユニット６１５０がケース６１５４内に完全に挿入された際に、凹部６１５３ｃに凸部６１５４ｂ１ａが嵌合し、基板ユニット６１５０が挿入方向とは逆の方向に抜けるのを防止している。なお、図１２（ｂ）および図１３（ａ）においては、凸部６１５４ｂ１ａおよび凹部６１５３ｃについては、それぞれ片側一方のみ図示している。
【００５２】
基板ユニット１５０がケース６１５４内に挿入された後、透光窓６１５４ｃから筒状部材６１５５をケース６１５４内に挿入し、続いて第１光学部材６１５６を透光窓６１５４ｃに嵌合させて透光窓６１５４ｃを閉塞する。
筒体固定孔６１５４ｇに筒体６１５４ｅを嵌挿し、筒体６１５４ｅに嵌挿する。このとき、筒体６１５４ｅのスリット６１５４ｅ５とケース６１５４の突起固定用段部６１５４ｈ２が対応するように筒体６１５４ｅを嵌挿する。そして、筒体６１５４ｅに第２光学部材１５７を嵌挿する。筒体６１５４ｅの内周面には、第２光学部材固定用段部６１５４ｅ２が形成されており、第２光学部材１５７が嵌挿される際にリブ１５７ｂが第２光学部材固定用段部６１５４ｅ２に係止される。そして、第２光学部材１５７の突起１５７ｃがスリット６１５４ｅ５および突起固定用段部６１５４ｈ２により固定される。
【００５３】
なお、本変形例においては、溝状の保持部６１５４ｂ１は、側壁６１５４ｂの基板挿入口６１５４ｉが形成されている部分以外の部分に平面視Ｕ字状に連続的に形成されているが、これに限られない。例えば、基板１５３の長手方向両側を保持する部分にのみ一対の直線状の溝が形成されていてもよいし、さらには、Ｕ字状や直線状の溝が一続きの溝として形成されているのではなく、複数の短い溝が断続的に配列された構成としてもよい。
【００５４】
また、凹部６１５３ｃが形成される箇所は基板６１５３の側面に限られない。例えば、基板６１５３の周縁部近傍の上面または下面に凹部が形成されてもよい。その場合、凸部は、保持部６１５４ｂ１の凹部に対応する位置に形成するとよい。また、凹部と凸部が逆になってもよい。さらには、側壁の基板挿入口を臨む側端縁から基板ユニットの挿入方向後方側に向かって爪状部材が延設され、基板の挿入方向後方側の側端部と係合する構成としてもよい。この場合においても、爪状部材と基板の挿入方向後方側の側端部とが係合して、基板ユニットの挿入方向後方側への移動が係止される。
【００５５】
以上説明したように、変形例５に係るセンサユニット６１５の構成によると、基板１５３を保持する保持部６１５４ｂ１が爪状部材ではなく溝であるため、弾性を確保するためのスリットを側壁に形成する必要がない。これにより、外乱光の侵入をさらに抑制することができる。
（変形例６）
さらには、センサユニットのケースが底板を有する構成とすることもできる。図１４（ａ）は、変形例６に係るセンサユニット７１５の外観斜視図であり、図１４（ｂ）は、図１４（ａ）のＤ−Ｄ’線に沿った矢視断面図である。
【００５６】
センサユニット７１５は、ケース７１５４の側面７１５４ｂが電源モジュール１５８よりも下方まで延設されており、側面７１５４ｂの延出端縁に連接して底板７１５４ｊが形成されている点を除いて、変形例５に係るセンサユニット６１５と主な構造は同じである。
センサユニット７１５の構成によると、底板７１５４ｊにより、下方からの外乱光の入射をさらに抑制することができる。特に、溝が断続的に形成されている場合、下方からの外乱光が溝と溝との間の隙間を通って入射する虞があるが、本変形例のように底板を有する構成であれば、このような場合においても、下方からの外乱光の入射をより効果的に抑制することができる。
【００５７】
（変形例７）
上記実施形態の説明においては、基板のケースへの保持固定に接着剤を用いることについて、好適でない点が存在するとしたが、基板のケースへの保持固定に、爪状部材や溝といった係合構造を利用する構成に代えて、接着剤を用いる構成としてもよい。
図１５（ａ）は、変形例７に係るセンサユニット８１５の外観斜視図である。図１５（ｂ）は、図１５（ａ）のＥ−Ｅ’線に沿った矢視断面図である。図１５（ｃ）は、センサユニット８１５の底面図である。
【００５８】
センサユニット８１５は、ケース８１５４の天板８１５４ａに貫通孔１５４ｂ３（図２参照）が形成されていない。ケース８１５４の側壁８１５４ｂには、爪部材としての保持部１５４ｂ１（図２参照）が形成されていない。側壁８１５４ｂの内面には、基板１５３の全周に亘って基板１５３の上面１５３ａと当接する段部８１５４ｂ５が形成されており、側壁８１５４ｂと基板１５３の側面との間の隙間には、接着剤２０が充填されている。これにより、基板１５３がケース８１５４に保持され固定される。よって、段部８１５４ｂ５を含む側壁８１５４ｂの下端部を保持部８１５４ｂ１と考えることができる。
【００５９】
センサユニット８１５は、上記の点が実施形態に係るセンサユニット１５と異なっている以外は、センサユニット１５と基本的な構成は同じである。
（変形例８）
変形例７においては、段部８１５４ｂ５は、側壁８１５４ｂの内面において、基板１５３の全周に亘って連続的に形成されているが、これに限られない。例えば、側壁の内面において、基板１５３の周縁の一部に対応する部分には、段部８１５４ｂ５が形成されない構成としてもよい。この場合、当該部分には側壁内面と基板周面との間に隙間が開く場合があるが、その場合においても、当該隙間の大きさを接着剤が流れ落ちない程度の大きさとすることにより、接着剤が硬化するまでの間、当該箇所に接着剤を保持することができる。
【００６０】
（変形例９）
さらには、接着剤２０として遮光性を有する接着剤を用いてもよい。このようにすると、例えば、変形例７のように側壁内面と基板周面との間に隙間が存在する場合であっても、当該隙間を介して外乱光が入射するのを抑制することができる。
なお、変形例７の場合は、段部８１５４ｂ５が基板１５３の全周に亘って形成されているため、接着剤２０が透明な材料の場合でも、接着剤２０を透過した下方からの外乱光が段部８１５４ｂ５で遮られ、ケース８１５４内部への入射が抑制される。ただし、変形例７の構成において、遮光性を有する接着剤を用いてもよいことは勿論である。
【００６１】
（変形例１０）
実施形態に係るセンサユニット１５のように、保持部１５４ｂ１が爪状部材である構成において、保持部１５４ｂ１が形成されていない部分のケースの側壁と基板との間の隙間に遮光性を有する充填部材を充填してもよい。
この場合、上記充填部材には、流動性の樹脂やゴム等を上記隙間に塗布した後に硬化させてもよいし、樹脂やゴム、金属やセラミック等の材料を用いて予め成形された充填部材を上記隙間に嵌め込むようにしてもよい。
【００６２】
これにより、下方からの外乱光のケース内への入射をさらに抑制することができる。
（変形例１１）
上記実施形態および各変形例においては、側壁は、天板の周縁部から延出していたが、これに限られない。例えば、天板の周縁部から内側に入った部分から延出していてもよい。即ち、天板の側壁が延出している部分よりも外側に、天板の一部が庇のように外方に延出していてもよい。
【００６３】
なお、上記実施形態および各変形例に係る照明器具の部分的な構成を適宜組み合わせてなる照明器具であっても良い。また、上記実施形態および各変形例における説明に記載した材料、数値等は好ましいものを例示しているだけであり、それに限定されることはない。また、各図面における各部材の寸法および比は、一例として挙げたものであり、必ずしも実在の照明器具の寸法および比と一致するとは限らない。さらに、本発明の技術的思想の範囲を逸脱しない範囲で、照明器具の構成に適宜変更を加えることは可能である。
【符号の説明】
【００６４】
１０  照明器具
１１  器具本体
１２  センサ枠
１３  グローブ
１４  発光部
１５，２１５，３１５，４１５，５１５，６１５，７１５，８１５  センサユニット
１８  コネクタ
２０  接着剤
１５０，６１５０  基板ユニット
１５１  受光素子
１５２  発光素子
１５３，６１５３  基板
１５３ａ  上面
１５３ｂ  下面
１５４，６１５４  ケース
１５４ａ，６１５４ａ  天板
１５４ｂ，４１５４ｂ，５１５４ｂ，６１５４ｂ  側壁
１５４ｂ１，６１５４ｂ１  保持部
１５４ｂ２  スリット
１５４ｂ３  貫通孔
１５４ｂ４，４１５４ｂ４，５１５４ｂ４  延出端縁
１５４ｃ，６１５４ｃ  透光窓
１５４ｄ  出射口
１５４ｅ  筒体
１５５  筒状部材
１５６  第１光学部材
１５７  第２光学部材
１５８  電源モジュール
１５９  ハーネス
１５９ａ  ケーブル
１５９ｂ  コネクタ
１５９ｃ  コネクタ
【図１】
2014026878.tif 000003
【図２】
2014026878.tif 000004
【図３】
2014026878.tif 000005
【図４】
2014026878.tif 000006
【図５】
2014026878.tif 000007
【図６】
2014026878.tif 000008
【図７】
2014026878.tif 000009
【図８】
2014026878.tif 000010
【図９】
2014026878.tif 000011
【図１０】
2014026878.tif 000012
【図１１】
2014026878.tif 000013
【図１２】
2014026878.tif 000014
【図１３】
2014026878.tif 000015
【図１４】
2014026878.tif 000016
【図１５】
2014026878.tif 000017